【手続補正書】
【提出日】平成27年4月21日(2015.4.21)
【手続補正１】
【補正対象書類名】特許請求の範囲
【補正対象項目名】請求項１
【補正方法】変更
【補正の内容】
【請求項１】
複数の記録素子を有するヘッドモジュールを第１の方向に複数配列してなる記録ヘッドと、記録媒体とを前記第１の方向と直交する第２の方向に相対移動させながら、前記複数のヘッドモジュールのうちの第１のヘッドモジュール及び第２のヘッドモジュールの各々により、前記第１の方向に延びた形状のドットパターンを前記第２の方向に予め定めた間隔で前記記録媒体上に記録させる記録ステップと、
前記記録ステップで前記記録媒体上に記録された前記ドットパターンを光学的に読み取る読取ステップと、
前記読取ステップで読み取られた前記ドットパターンの読取画像の前記第２の方向の濃度変化を示す濃度プロファイルを算出する濃度プロファイル算出ステップと、
前記濃度プロファイル算出ステップの算出結果に基づき、前記濃度プロファイル内での各前記ドットパターンに対応する波形の繰り返し周期を算出する繰り返し周期算出ステップと、
前記繰り返し周期算出ステップの算出結果に基づき、前記濃度プロファイルのデータを、前記繰り返し周期毎に積算して積算濃度プロファイルを算出する積算濃度プロファイル算出ステップと、
前記積算濃度プロファイル算出ステップの算出結果に基づき、前記第１のヘッドモジュールの記録位置と前記第２のヘッドモジュールの記録位置との前記第２の方向の位置ずれ量を算出する位置ずれ量算出ステップであって、前記積算濃度プロファイルにおける各前記ドットパターンにそれぞれ対応する波形のピーク位置を求め、各前記ピーク位置に基づいて前記位置ずれ量を算出する位置ずれ量算出ステップと、
を有する位置ずれ量測定方法。
【手続補正２】
【補正対象書類名】特許請求の範囲
【補正対象項目名】請求項４
【補正方法】変更
【補正の内容】
【請求項４】
前記第１及び第２のヘッドモジュールの各々の前記記録媒体上の記録領域の一部が互いにオーバラップしているオーバラップ記録領域である場合に、前記記録ステップは、前記オーバラップ記録領域以外の記録領域に記録を行う前記第１及び第２のヘッドモジュールの各々の前記記録素子によりそれぞれ前記第１のドットパターン、前記第２のドットパターンを記録する請求項３記載の位置ずれ量測定方法。
【手続補正３】
【補正対象書類名】特許請求の範囲
【補正対象項目名】請求項１０
【補正方法】変更
【補正の内容】
【請求項１０】
複数の記録素子を有するヘッドモジュールを第１の方向に複数配列してなる記録ヘッドと、
前記記録ヘッドと記録媒体とを前記第１の方向と直交する第２の方向に相対移動させる相対移動部と、
前記記録ヘッドと前記相対移動部とを制御して、前記複数のヘッドモジュールのうちの第１のヘッドモジュール及び第２のヘッドモジュールの各々により、前記第１の方向に延びた形状のドットパターンを前記第２の方向に予め定めた間隔で前記記録媒体上に記録させる記録制御部と、
前記第１のヘッドモジュール及び前記第２のヘッドモジュールによりそれぞれ前記記録媒体上に記録された前記ドットパターンを光学的に読み取る読取部と、
前記読取部で読み取られた前記ドットパターンの読取画像の前記第２の方向の濃度変化を示す濃度プロファイルを算出する濃度プロファイル算出部と、
前記濃度プロファイル算出部の算出結果に基づき、前記濃度プロファイル内での各前記ドットパターンに対応する波形の繰り返し周期を算出する繰り返し周期算出部と、
前記繰り返し周期算出部の算出結果に基づき、前記濃度プロファイルのデータを、前記繰り返し周期毎に積算して積算濃度プロファイルを算出する積算濃度プロファイル算出部と、
前記積算濃度プロファイル算出部の算出結果に基づき、前記第１のヘッドモジュールの記録位置と前記第２のヘッドモジュールの記録位置との前記第２の方向の位置ずれ量を算出する位置ずれ量算出部であって、前記積算濃度プロファイルにおける各前記ドットパターンにそれぞれ対応する波形のピーク位置を求め、各前記ピーク位置に基づいて前記位置ずれ量を算出する位置ずれ量算出部と、
を備える画像記録装置。
【手続補正４】
【補正対象書類名】明細書
【補正対象項目名】０００９
【補正方法】変更
【補正の内容】
【０００９】
本発明の目的を達成するための位置ずれ量測定方法は、複数の記録素子を有するヘッドモジュールを第１の方向に複数配列してなる記録ヘッドと、記録媒体とを第１の方向と直交する第２の方向に相対移動させながら、複数のヘッドモジュールのうちの第１のヘッドモジュール及び第２のヘッドモジュールの各々により、第１の方向に延びた形状のドットパターンを第２の方向に予め定めた間隔で記録媒体上に記録させる記録ステップと、記録ステップで記録媒体上に記録されたドットパターンを光学的に読み取る読取ステップと、読取ステップで読み取られたドットパターンの読取画像の第２の方向の濃度変化を示す濃度プロファイルを算出する濃度プロファイル算出ステップと、濃度プロファイル算出ステップの算出結果に基づき、濃度プロファイル内での各ドットパターンに対応する波形の繰り返し周期を算出する繰り返し周期算出ステップと、繰り返し周期算出ステップの算出結果に基づき、濃度プロファイルのデータを、繰り返し周期毎に積算して積算濃度プロファイルを算出する積算濃度プロファイル算出ステップと、積算濃度プロファイル算出ステップの算出結果に基づき、第１のヘッドモジュールの記録位置と第２のヘッドモジュールの記録位置との第２の方向の位置ずれ量を算出する位置ずれ量算出ステップであって、積算濃度プロファイルにおける各ドットパターンにそれぞれ対応する波形のピーク位置を求め、各ピーク位置に基づいて位置ずれ量を算出する位置ずれ量算出ステップと、を有する。
【手続補正５】
【補正対象書類名】明細書
【補正対象項目名】００１３
【補正方法】変更
【補正の内容】
【００１３】
第１及び第２のヘッドモジュールの各々の記録媒体上の記録領域の一部が互いにオーバラップしているオーバラップ記録領域である場合に、記録ステップは、オーバラップ記録領域以外の記録領域に記録を行う第１及び第２のヘッドモジュールの各々の記録素子によりそれぞれ第１のドットパターン、第２のドットパターンを記録することが好ましい。これにより、第１の方向に隣接する各ヘッドモジュールの記録領域がオーバラップしている場合でも、ヘッドモジュール間の記録位置の第２の方向の位置ずれ量を高精度に測定することができる。
【手続補正６】
【補正対象書類名】明細書
【補正対象項目名】００１９
【補正方法】変更
【補正の内容】
【００１９】
本発明の目的を達成するための画像記録装置は、複数の記録素子を有するヘッドモジュールを第１の方向に複数配列してなる記録ヘッドと、記録ヘッドと記録媒体とを第１の方向と直交する第２の方向に相対移動させる相対移動部と、記録ヘッドと相対移動部とを制御して、複数のヘッドモジュールのうちの第１のヘッドモジュール及び第２のヘッドモジュールの各々により、第１の方向に延びた形状のドットパターンを第２の方向に予め定めた間隔で記録媒体上に記録させる記録制御部と、第１のヘッドモジュール及び第２のヘッドモジュールによりそれぞれ記録媒体上に記録されたドットパターンを光学的に読み取る読取部と、読取部で読み取られたドットパターンの読取画像の第２の方向の濃度変化を示す濃度プロファイルを算出する濃度プロファイル算出部と、濃度プロファイル算出部の算出結果に基づき、濃度プロファイル内での各ドットパターンに対応する波形の繰り返し周期を算出する繰り返し周期算出部と、繰り返し周期算出部の算出結果に基づき、濃度プロファイルのデータを、繰り返し周期毎に積算して積算濃度プロファイルを算出する積算濃度プロファイル算出部と、積算濃度プロファイル算出部の算出結果に基づき、第１のヘッドモジュールの記録位置と第２のヘッドモジュールの記録位置との第２の方向の位置ずれ量を算出する位置ずれ量算出部であって、積算濃度プロファイルにおける各ドットパターンにそれぞれ対応する波形のピーク位置を求め、各ピーク位置に基づいて位置ずれ量を算出する位置ずれ量算出部と、を備える。